(57)【要約】【目的】  近年の環境保護の要請に沿うことができ、便座の使用感を向上させることができ、ユーザーに便座シートへの不潔感を感じさせることがなく、しかも、従来の便器装置に少しの改良を加えるだけで低コストで簡単に実現することができる、便座シート供給装置を提供する。【構成】  便蓋の内部に形成され、前記便座シートをその内部に収容可能な空洞部と、便座シートを前記空洞部内と前記便座上との間で往復移動させる便座シート往復移動手段と、ユーザーによる前記便座の使用が終了したときは便座シートを前記便座上から前記空洞部内に移動させ、ユーザーによる前記便座の使用が開始されるときは便座シートを前記空洞部内から前記便座上に移動させるように、前記便座シート往復移動手段を制御する制御手段と、を備えたものである。【選択図】    図２Ａ
2008036177.tif 000002
【特許請求の範囲】
【請求項１】
便器の上方開口部及び便座の主要部を覆うための便蓋であって、前記便座の後方の位置に前記便座に対して回動可能に接続されている便蓋と、
少なくとも前記便蓋から前記便座に向かう方向又は前記便座から前記便蓋に向かう方向に沿って湾曲可能に形成されている、一枚又は複数枚の便座シートと、
前記便蓋の内部に形成され、前記一枚又は複数枚の便座シートをその内部に収容可能な空洞部と、
前記便蓋の前記便座と対向する面にユーザーから見て略水平方向に形成され、少なくとも一枚の便座シートが通過可能に形成されたスリット状の出入口と、
前記便蓋に備えられ、前記便座シートの少なくとも一枚を、前記出入口を介して前記空洞部内と前記便座上との間で往復移動させるための便座シート往復移動手段と、
ユーザーによる前記便座の使用が終了したときは、それまで前記便座上に配置されていた便座シートを前記便座上から前記空洞部内に移動させ、ユーザーによる前記便座の使用が開始されるときは、それまで前記空洞部内に収容されていた便座シートを前記空洞部内から前記便座上に移動させるように、前記便座シート往復移動手段を制御するための制御手段と、
を備えたことを特徴とする、便蓋を利用した便座シート供給装置。
【請求項２】
便器の上方開口部及び便座の主要部を覆うための便蓋であって、前記便座の後方の位置に前記便座に対して回動可能に接続されている便蓋と、
少なくとも前記便蓋から前記便座に向かう方向又は前記便座から前記便蓋に向かう方向に沿って湾曲可能に形成されている、一枚又は複数枚の便座シートと、
前記便蓋の内部に形成され、前記一枚又は複数枚の便座シートをその内部に収容可能な空洞部と、
前記便蓋の前記便座と対向する面にユーザーから見て略水平方向に形成され、少なくとも一枚の便座シートが通過可能に形成されたスリット状の出入口と、
前記便蓋に備えられ、前記便座シートの少なくとも一枚を、前記出入口を介して前記空洞部内と前記便座上との間で往復移動させるための便座シート往復移動手段と、
前記空洞部内に存在する便座シートを殺菌・消毒するための便座シート殺菌・消毒手段と、
ユーザーによる前記便座の使用が終了したときは、それまで前記便座上に配置されていた便座シートを前記便座上から前記空洞部内に移動させ、前記便座上に便座シートが配置されていないときは、前記空洞部内で前記便座シート殺菌・消毒手段による殺菌・消毒が行われた前記便座シートの殺菌・消毒を前記空洞部内から前記便座上に移動させるように、前記便座シート往復移動手段を制御するための制御手段と、
を備えたことを特徴とする、便蓋を利用した便座シート供給装置。
【請求項３】
便器の上方開口部及び便座の主要部を覆うための便蓋であって、前記便座の後方の位置に前記便座に対して回動可能に接続されている便蓋と、
少なくとも前記便蓋から前記便座に向かう方向又は前記便座から前記便蓋に向かう方向に沿って湾曲可能に形成されている、複数枚の便座シートと、
前記便蓋の内部に形成され、前記複数枚の便座シートをその内部に収容可能な空洞部と、
前記便蓋の前記便座と対向する面にユーザーから見て略水平方向に形成され、前記複数枚の便座シートの中の少なくとも一枚が通過可能に形成されたスリット状の出入口と、
前記便蓋に備えられ、前記複数枚の便座シートのいずれかを、前記出入口を介して前記空洞部内と前記便座上との間で往復移動させるための便座シート往復移動手段と、
ユーザーによる前記便座の使用が終了したときは、それまで前記便座上に配置されていた便座シートを前記便座上から前記空洞部内に移動させると共に、それまで前記空洞部内に収容されていた他の便座シートを前記空洞部内から前記便座上に移動させるように、前記便座シート往復移動手段を制御するための制御手段と、
を備えたことを特徴とする、便蓋を利用した便座シート供給装置。
【請求項４】
請求項１，２，又は３において、
前記便蓋内の空洞部には、その内部に存在している便座シートを殺菌・消毒するための便座シート殺菌・消毒手段、が備えられている、ことを特徴とする、便蓋を利用した便座シート供給装置。
【請求項５】
請求項１，２，又は３において、
前記空洞部内には複数枚の便座シートが収容されており、
前記複数枚の便座シートは、それぞれ、複数のユーザーのそれぞれが選択的に使用するものであり、
前記空洞部内の前記各便座シートの収容位置を前記各ユーザーの識別情報とそれぞれ対応させて記録しておくための記録手段と、
前記各ユーザーを識別するための情報を取得するためのユーザー情報取得手段と、を備え、
前記制御手段は、前記ユーザー情報取得手段からのユーザー識別情報と前記記録手段からの各便座シートの収容位置情報とに基づいて、前記便座シート往復移動手段を制御するものであり、
前記便座シート往復移動手段は、前記制御手段からの情報に基づいて、前記空洞部内の複数枚の便座シートの中からいずれか一つの便座シートを選択的に往復移動させるものである、ことを特徴とする、便蓋を利用した便座シート供給装置。
【請求項６】
請求項１，２，又は３において、
前記便蓋内の空洞部には、その内部に存在している便座シートを加温するための便座シート加温手段、が備えられている、ことを特徴とする、便蓋を利用した便座シート供給装置。
【請求項７】
請求項１，２，又は３において、
前記便蓋内の空洞部又はその近傍部分には、その内部に存在している便座シートを、その表面の異物を除去することにより、清掃するための便座シート清掃手段、が備えられている、ことを特徴とする、便蓋を利用した便座シート供給装置。
【発明の詳細な説明】
【技術分野】
【０００１】
本発明は、便蓋を利用した便座シート供給装置に関する。
【背景技術】
【０００２】
従来より、便蓋を利用して便座上に便座シート（便座カバーと呼ばれる場合もある）を供給するための装置が提案されている。例えば、図７は、特許文献１により開示された便座カバー用紙セットの発明を説明するための図である。この特許文献１の発明では、便蓋の裏側に、折り畳まれた状態で積層された多数枚の水溶性の便座カバー用紙を入れた容器を設置しておき、便器に対して回動可能に接続された便座の上面の複数箇所に粘着部を配置しておく。そして、ユーザーが便座を使用するために便座を図７の矢印方向に倒すとき、前記多数枚の便座カバー用紙の中の一枚が、前記粘着部に貼り付けられた状態で便座上に配置される。ユーザーが便座の使用を終了したときは、ユーザーは、前記便座上に粘着されていた水溶性の便座カバー用紙を取り出して水に流して廃棄する（特許文献１参照）。
【特許文献１】実用新案登録第２５３０５１１号公報
【発明の開示】
【発明が解決しようとする課題】
【０００３】
特許文献１の発明においては、ユーザーが便座を使用する度に新しい１枚の便座カバー用紙が供給されるが、この便座カバー用紙は水溶性で使用の度にトレの水に流して使い捨てることが予定されているので、資源の無駄遣いになり、近年の環境保護の要請に反してしまう、という問題がある。
【０００４】
また、特許文献１で使用される便座カバー用紙は、薄い紙製であるため、硬いプラスチック製の便座の上に載置した場合でも、便座の硬いプラスチック素材の感触がユーザーの臀部にそのまま伝わってしまうため、ユーザーにとって使い心地が悪く、ユーザーによる便座の使用感を向上させることはできない、という問題がある。
【０００５】
また、従来より、水溶性の紙製の使い捨てシートではなく、布製の便座シートを便座上に常時固定しておくことも行われているが、この場合は、複数のユーザーが一つの便座シートを共用することになるので、各ユーザーに対して、便座シートへの不潔感を感じさせてしまうという問題があった。
【０００６】
本発明はこのような従来技術の問題点に着目してなされたものであって、近年の環境保護の要請に沿うことができ、便座の使用感を向上させることができ、ユーザーに便座シートへの不潔感を感じさせることがなく、しかも、従来の便器装置に少しの改良を加えるだけで低コストで且つ簡単な構成で実現することができる、便座シート供給装置を提供することを目的とする。
【課題を解決するための手段】
【０００７】
本発明による便蓋を利用した便座シート供給装置は、便器の上方開口部及び便座の主要部を覆うための便蓋であって、前記便座の後方の位置に前記便座に対して回動可能に接続されている便蓋と、少なくとも前記便蓋から前記便座に向かう方向又は前記便座から前記便蓋に向かう方向に沿って湾曲可能に形成されている、一枚又は複数枚の便座シートと、前記便蓋の内部に形成され、前記一枚又は複数枚の便座シートをその内部に収容可能な空洞部と、前記便蓋の前記便座と対向する面にユーザーから見て略水平方向に形成され、少なくとも一枚の便座シートが通過可能に形成されたスリット状の出入口と、前記便蓋に備えられ、前記便座シートの少なくとも一枚を、前記出入口を介して前記空洞部内と前記便座上との間で往復移動させるための便座シート往復移動手段と、ユーザーによる前記便座の使用が終了したときは、それまで前記便座上に配置されていた便座シートを前記便座上から前記空洞部内に移動させると共に、ユーザーによる前記便座の使用が開始されるときは、それまで前記空洞部内に収容されていた便座シートを前記空洞部内から前記便座上に移動させるように、前記便座シート往復移動手段を制御するための制御手段と、を備えたことを特徴とするものである。
【０００８】
また、本発明による便蓋を利用した便座シート供給装置は、便器の上方開口部及び便座の主要部を覆うための便蓋であって、前記便座の後方の位置に前記便座に対して回動可能に接続されている便蓋と、少なくとも前記便蓋から前記便座に向かう方向又は前記便座から前記便蓋に向かう方向に沿って湾曲可能に形成されている、一枚又は複数枚の便座シートと、前記便蓋の内部に形成され、前記一枚又は複数枚の便座シートをその内部に収容可能な空洞部と、前記便蓋の前記便座と対向する面にユーザーから見て略水平方向に形成され、少なくとも一枚の便座シートが通過可能に形成されたスリット状の出入口と、前記便蓋に備えられ、前記便座シートの少なくとも一枚を、前記出入口を介して前記空洞部内と前記便座上との間で往復移動させるための便座シート往復移動手段と、前記空洞部内に存在する便座シートを殺菌・消毒するための便座シート殺菌・消毒手段と、ユーザーによる前記便座の使用が終了したときは、それまで前記便座上に配置されていた便座シートを前記便座上から前記空洞部内に移動させると共に、前記便座上に便座シートが配置されていないときは、前記空洞部内で前記便座シート殺菌・消毒手段による殺菌・消毒が行われた前記便座シートの殺菌・消毒を前記空洞部内から前記便座上に移動させるように、前記便座シート往復移動手段を制御するための制御手段と、を備えたことを特徴とするものである。
【０００９】
また、本発明による便蓋を利用した便座シート供給装置は、便器の上方開口部及び便座の主要部を覆うための便蓋であって、前記便座の後方の位置に前記便座に対して回動可能に接続されている便蓋と、少なくとも前記便蓋から前記便座に向かう方向又は前記便座から前記便蓋に向かう方向に沿って湾曲可能に形成されている、複数枚の便座シートと、前記便蓋の内部に形成され、前記複数枚の便座シートをその内部に収容可能な空洞部と、前記便蓋の前記便座と対向する面にユーザーから見て略水平方向に形成され、前記複数枚の便座シートの中の少なくとも一枚が通過可能に形成されたスリット状の出入口と、前記便蓋に備えられ、前記複数枚の便座シートのいずれかを、前記出入口を介して前記空洞部内と前記便座上との間で往復移動させるための便座シート往復移動手段と、ユーザーによる前記便座の使用が終了したときは、それまで前記便座上に配置されていた便座シートを前記便座上から前記空洞部内に移動させると共に、それまで前記空洞部内に収容されていた他の便座シートを前記空洞部内から前記便座上に移動させるように、前記便座シート往復移動手段を制御するための制御手段と、を備えたことを特徴とするものである。
【００１０】
また、本発明による便蓋を利用した便座シート供給装置においては、前記複数枚の便座シートは、それぞれ、複数のユーザーのそれぞれが選択的に使用するものであり、前記空洞部内の前記各便座シートの収容位置を前記各ユーザーの識別情報とそれぞれ対応させて記録しておくための記録手段と、前記各ユーザーを識別するための情報を取得するためのユーザー情報取得手段と、を備え、前記制御手段は、前記ユーザー情報取得手段からのユーザー識別情報と前記記録手段からの各便座シートの収容位置情報とに基づいて、前記便座シート往復移動手段を制御するものであり、前記便座シート往復移動手段は、前記制御手段からの情報に基づいて、前記空洞部内の複数の便座シートの中からいずれか一つの便座シートを選択的に往復移動させるものである、ことが望ましい。
【００１１】
また、本発明による便蓋を利用した便座シート供給装置においては、前記便蓋内の空洞部には、その内部に収容されている便座シートを殺菌・消毒するための便座シート殺菌・消毒手段、が備えられている、ことが望ましい。
【００１２】
また、本発明による便蓋を利用した便座シート供給装置においては、前記便座シートは、少なくともその表面側がプラスチックやゴムなどの柔軟な素材により形成されている（さらに、ユーザーの使い心地を良くするために、少なくとも表面側は柔軟な部材である程度の厚み（例えば約２〜５ｍｍ又はそれ以上）を有している）、ことが望ましい。
【００１３】
また、本発明による便蓋を利用した便座シート供給装置においては、前記便蓋内の空洞部には、その内部に収容されている便座シートを加温するための便座シート加温手段、が備えられている、ことが望ましい。
【００１４】
さらに、本発明による便蓋を利用した便座シート供給装置においては、前記便蓋内の空洞部又はその近傍部分には、その内部に収容されている便座シートを、その表面の異物を除去することにより、清掃するための便座シート清掃手段、が備えられている、ことが望ましい。
【発明の効果】
【００１５】
本発明においては、前記便蓋の内部に便座シートを収容可能な空洞部を形成し、前記便座シートを、ユーザーによる便座の使用が終了したときは前記便座上の位置から前記便蓋内の空洞部内の位置へ移動させると共に、ユーザーによる便座の使用が開始されるときは前記便蓋内の空洞部内の位置から前記便座上の位置に移動させるようにしている。よって、本発明によれば、ユーザーが便座を使用する度に便蓋から便座シートが供給されるので、従来技術において複数のユーザーが便座上に常時固定するタイプの便座シートを使用する場合に生じていた各ユーザーに不潔感を感じさせるという問題を解決することができる。特に、本発明では、ユーザーは、自己が便座の使用を開始するとき、衛生的で清潔な便座シートが前記空洞部から前記便座上に移動してくる状況を自分の眼で視認できるので、その便座シートが衛生的で清潔なものであることを確信して便座を使用することができる。また、本発明によれば、同じ便座シートを前記便座と前記便蓋内の空洞部との間で往復移動させるので、従来の使い捨てタイプの便座シートを使用する場合における資源の無駄遣いになるという問題を回避することができる。
【００１６】
また、本発明においては、前記便蓋の内部に便座シートを収容可能な空洞部を形成し、ユーザーによる前記便座の使用が終了したときは、それまで前記便座上に配置されていた便座シートを、前記便蓋内の空洞部内に移動させて消毒・殺菌し、前記便座上に便座シートが存在していないときは、前記殺菌・消毒手段などにより殺菌・消毒などがなされた衛生的で清潔な便座シートを前記便座上に移動させるようにしている。よって、本発明によれば、前記便座上にはほとんど常に殺菌・消毒された衛生的で清潔な便座シートが存在していることになるので、従来技術において複数のユーザーが便座上に常時固定するタイプの便座シートを使用する場合に生じていた各ユーザーに不潔感を感じさせるという問題を解決することができる。特に、本発明においては、前記便座上にはほとんど常に衛生的で清潔な便座シートが存在していることになるので、ユーザーが緊急に前記便座を使用したいときにも対応できる。また、本発明によれば、同じ便座シートを便座と便蓋内の空洞部との間で往復移動させるので、従来の使い捨てタイプの便座シートを使用する場合における資源の無駄遣いになるという問題を回避することができる。
【００１７】
また、本発明においては、前記便蓋の空洞部の内部に複数枚の便座シートを収容させておき、ユーザーによる便座の使用が終了したときは、それまで便座上に配置されていた便座シートを前記便蓋内の空洞部内に移動させると共に、それまで前記空洞部内に収容されていた既に殺菌・消毒されている別個の便座シートを前記便座上に移動させるようにしている。よって、本発明によれば、ユーザーによる前記便座の使用が終わる度に前記空洞部から別個の衛生的な便座シートが供給されるので、従来技術において複数のユーザーが便座上に常時固定するタイプの便座シートを使用する場合に生じていた不衛生な状態の便座シートが便座上に存在するという問題を回避することができる。特に、本発明においては、便座上に常に衛生的で清潔な便座シートが存在していることになるので、ユーザーが緊急に便座を使用したいときにも対応できる。また、本発明によれば、同じ便座シートを便座と便蓋内の空洞部との間で往復移動させるので、従来の使い捨てタイプの便座シートを使用する場合における資源の無駄遣いになるという問題を回避することができる。
【００１８】
また、特に、本発明においては、前記便蓋内に形成された空洞部内に便座シートを収容しておき、この空洞部内の便座シートを便座上との間で往復移動させるようにしているので、従来の便器装置に備えられている便蓋に少しの改良を加えるだけで、極めて低コストで且つ簡単な構成で、上記の問題の解決が可能になる。
【００１９】
また、本願の他の発明においては、前述の便蓋内の空洞部内に複数の便座シートを用意しておき、前記制御手段及び便座シート往復移動手段により、前記複数の便座シートの中のいずれか一つを各ユーザーに対応するように選択して、前記便座の上に移動させるようにしてもよい。このようにした場合は、例えば、各ユーザーは、便器を使用する度に、各ユーザーに対応する（各ユーザーに適した）便座シートを使用することができる。よって、本発明によれば、従来のように一つの便座シートを複数人が使用する場合における衛生上の問題や他人が使用した後の便座シートを使用するときの嫌悪感の問題を回避することができる。
【００２０】
また、本発明において、前記便蓋内の空洞部に、便座シートを殺菌・消毒するための便座シート殺菌・消毒手段を備えるようにしたときは、ユーザーは、常に便座シートを殺菌・消毒された衛生的な状態で使用できるようになる。
【００２１】
また、本発明において、前記便蓋内の空洞部に、便座シートを加温するための便座シート加温手段を備えるようにしたときは、ユーザーは、冬季などに便座シートを暖かい状態で使用できるようになる。
【００２２】
さらに、本発明において、前記便蓋内の空洞部に、便座シートの表面を清掃するための便座シート清掃手段を備えるようにしたときは、ユーザーは、常に便座シートを清潔な状態で使用できるようになる。
【発明を実施するための最良の形態】
【００２３】
本発明を実施するための最良の形態は以下の実施例１について述べるような形態である。
【実施例１】
【００２４】
図１は本発明の実施例１を含む洋式便器装置全体の外観を示す斜視図である。図１において、１は便器、２は前記便器１のユーザーが座る部分に備えられた便座、３は前記便器１の上方開口部１ａと便座２を覆うための便蓋、４は前記便座２のユーザーから見て後方の端部２ａに隣接して配置されたヒンジ部であって前記便蓋３を前記便座２及び便器１に対して図示α方向に回動自在に接続するためのヒンジ部、３ａは前記便蓋３のユーザー側の部分（前記便座２に近接・対向する部分）に形成され図示水平方向に細長く形成されているスリット状の出入口であって前記便座シートを前記便蓋３の空洞部（後述）内と外部との間で出し入れするための便座シート用の出入口、である。
【００２５】
次に、本実施例１に含まれる便蓋の構成を、図２Ａ−２Ｄを参照して説明する。図２Ａ−２Ｄにおいて、３ｂは前記便蓋３の内部に形成された空洞部、５は前記空洞部３ｂ内に収容されている樹脂やゴムなどの柔らかい素材で形成された便座シート、３ｃは前記便座シート５が前記空洞部３ｂ内の収容位置（図２Ａに示す位置）と前記便座２上の位置との間を往復移動するときに前記出入り口３ａの及びその近傍をスムーズに通過・移動できるように前記便座シート５を案内するための湾曲面が形成された案内部、６は前記便座シート５の図２Ａに示す上端部５ａにその一端が接続されたワイヤ（可動部）、７は前記ワイヤ６の他端が接続されておりモータ（図示せず）の回転により前記ワイヤ６を巻き取るための又は前記モータの逆回転により前記ワイヤ６を巻き取り状態から引き出すためのワイヤ巻取り部、８は前記空洞部３ｂ内の複数箇所（図２Ａにおいて前記空洞部３ｂ内の前記便座シート５が前記便座２の上に配置されたときに上側となる面に対向する内壁面の複数箇所）に設置された殺菌・消毒用の紫外線ランプ、９は前記空洞部３ｂ内に設置された面状ヒーター、である。
【００２６】
また、図２Ａ−２Ｄにおいて、２０ａ，２０ｂは一対の殺菌・消毒ローラである。この一対の殺菌・消毒ローラ２０ａ，２０ｂは、図２Ａ−２Ｄの紙面と直交する方向（前記便座シート５の移動方向と直交する方向）に細長く延びる棒状に形成され、前記便座シート５の両面に対してそれぞれ対向するように構成されている。
【００２７】
前記一対の殺菌・消毒ローラ２０ａ，２０ｂは、その布製の外周部に、図示していないタンクからの消毒用アルコールが常に染み込むように構成されている。また、前記一対の殺菌・消毒ローラ２０ａ，２０ｂは、通常は、前記便座シート５が前記一対の殺菌・消毒ローラ２０ａ，２０ｂの間をそれらに接触しないで通過できるように、互いに離れている第１の位置に配置されている（図２Ａ，図２Ｂに示す状態）。他方、前記殺菌・消毒ローラ２０ａ，２０ｂは、ユーザーによる前記便座２の使用が終了して、前記便座シート５を前記便座２上から前記空洞部３ｂ内に移動させるときは、後述の制御部１２による制御により、前記殺菌・消毒ローラ２０ａ，２０ｂの位置を移動させるための図示しない駆動部（モーターなど）が駆動されて、前記殺菌・消毒ローラ２０ａ，２０ｂは互いに近づく方向に移動される（図２Ｃの矢印ａ，ｂを参照）。その結果、前記便座シート５が、前記便座２上から前記空洞部３ｂ内に移動するために前記殺菌・消毒ローラ２０ａ，２０ｂの間を通過するとき、前記便座シート５は、前記殺菌・消毒ローラ２０ａ，２０ｂに接触し、前記便座シート５の表面が前記殺菌・消毒ローラ２０ａ，２０ｂによって擦られる（なお、この場合、前記殺菌・消毒ローラ２０ａ，２０ｂは、前記便座シート５の移動方向と反対の方向に回動されるようになっているので、それらの表面は、前記便座シート５の表面を、ある程度の強い摩擦力を持って擦るように動作する）。
【００２８】
よって、本実施例１では、ユーザーによる前記便座２の使用が終了してそれまで前記便座２上に配置されていた前記便座シート５が前記空洞部３ｂ内に移動させられるとき（図２Ｃ，図２Ｄ参照）は、まず、前述のように、前記一対の殺菌・消毒ローラ２０ａ，２０ｂが前記駆動部（図示せず）により互いに接近させられる（図２Ｃの矢印ａ，ｂ参照）。そして、この状態で、前記便座シート５が前記空洞部３ｂ内へ移動していく過程で、前記便座シート５の表面とその裏面が、前記一対の殺菌・消毒ローラ２０ａ，２０ｂ（外周面に消毒用アルコールが染み込んでいる）によって、擦られるので、前記便座シート５の表面が殺菌・消毒される。なお、前記消毒用アルコールは揮発性を有しているので、前記便座シート５の表面に付着しても、前記便座シート５の表面は短時間内に乾燥する。
【００２９】
また、図２Ａ−２Ｄにおいて、１０はトイレの出入り口用のドアの近傍、例えばトイレ内の前記便座２の近傍に設置された赤外線センサなどから構成される人感センサ、１１はユーザーが本実施例１の諸機能を操作するためのリモコン（リモートコントローラ）、１２は前記人感センサ１０又は前記リモコン１１からの信号に基づいて、前記殺菌・消毒ローラ２０ａ，２０ｂ、前記ワイヤ巻取り部７、前記紫外線ランプ８、及び前記面状ヒーター９を制御するためのマイクロコンピュータなどで構成される制御部、である。なお、前記殺菌・消毒ローラ２０ａ，２０ｂと前記紫外線ランプ８のいずれか一方又は双方は、本発明における便座シート殺菌・消毒手段の一例を示すものである。
【００３０】
また、図３Ａは本実施例１の便座シート５の一例を示す図で、図３Ａ（ａ）はその平面部、図３Ａ（ｂ）はその側面図である。前記便座シート５は、ユーザーの使い心地が良いように、少なくともその表面側は樹脂やゴムなどの柔軟な部材により形成され、ある程度の厚み（例えば約２ｍｍ以上の厚み、又は約２ｍｍ〜約５ｍｍの厚み）を有するように構成されている。すなわち、前記便座シート５は、プラスチック樹脂やゴムなどの柔軟で可とう性を有する素材により構成されている。よって、前記便座シート５は、図３Ａ（ｃ）に示すように、前記便座２と前記空洞部３ｂとの間を往復移動する方向（図２Ａ，図２Ｂの図示左右方向）に沿って折り曲げ・湾曲可能に形成されている。
【００３１】
したがって、図３Ａに示すような便座シート５を使用するときは、図２Ａ−２Ｄに関して説明したように前記便座シート５が前記空洞部３ｂ内から前記出入口３ａを通過して前記便座２上に移動するとき、又は前記便座シート５が前記便座２上から前記出入口３ａを通過して前記空洞部３ｂ内に移動するとき、前記便座シート５は、前記出入口３ａの近傍（前記案内部３ｃの湾曲面の上）で前記の図３Ａ（ｃ）に示すように自らが容易に湾曲するので、スムーズに前記移動を行える。
【００３２】
また、図３Ｂは本実施例１の便座シート５の他の例を示す図で、図３Ｂ（ａ）はその平面部、図３Ｂ（ｂ）はその側面図である。この他の例では、前記便座シート５は、図に示すような複数の図示横方向の細長い板５ａと、前記各板５ａの間を接続する軸５ｂとから成る、簾（すだれ）状に形成されている。すなわち、前記軸５ｂは、互いに隣接する前記板５ａ同士を所定角度まで折り曲げ可能に接続している。よって、この他の例でも、前記便座シート５は、図３Ｂに示すように前記便座シート５が前記空洞部３ｂ内から前記出入口３ａを通過して前記便座２上に移動するとき、前記便座シート５は、前記出入口３ａの近傍（前記案内部５ｃの湾曲面の上）で前記の図３Ｂ（ｃ）に示すように自らが容易に湾曲するので、スムーズに前記移動を行える。
【００３３】
次に、本実施例１における前記便座シート５の動作を、図２Ａ−２Ｄ及び図４Ａ−４Ｂを参照して説明する。なお、図４Ａ，４Ｂは、前記便蓋３を正面方向から透過させてその内部の便座シート５の位置が分かるように描いたものである。本実施例１では、前記便座シート５の往復移動方法に関して、前記人感センサ１０により自動的に移動させるか、それともユーザーの操作により移動させるかを、予めリモコン１１によりユーザーが設定しておく。ここでは、前記人感センサ１０により自動的に移動させるように予め設定しておいた場合の動作について説明する
【００３４】
なお、以下の説明において、「前記人感センサ１０からの検知信号の前記制御部１２への入力」を、「ユーザーのリモコン１１（操作部）による操作・指示信号の前記制御部１２への入力」と置き換えても、基本的に同じ動作が行われる。すなわち、以下に述べる動作は、「前記人感センサ１０からの検知信号を前記制御部１２に入力すること」ではなく、「ユーザーによるリモコン（操作部）１１の操作・指示信号を前記制御部１２に入力すること」によっても全く同様に行うことができる。
【００３５】
本実施例１では、まず、ユーザーが便器１及び便座２を使用していない場合は、図２Ａに示すように、前記便座シート５は、前記便蓋３内の空洞部３ｂ内に収容された状態に保持されている（図２Ａ、図４Ａに示す状態）。この状態においては、前記ワイヤ６が前記ワイヤ巻取り部７により最大限巻き取られた状態となっており、前記便座シート５は、その図２Ａの図示上端部５ａが前記ワイヤ巻取り部７に近接した状態に保持されている。
【００３６】
次に、ユーザーが前記便器１を使用するためにドアを開けてトイレの中に侵入して前記便座２に近づくと、前記人感センサ１０がユーザーの存在を検知し、その検知信号が前記制御部１２に入力される。前記制御部１２は、この検知信号の入力を受けると、前記ワイヤ巻取り部７のモータを制御して、前記ワイヤ６を最大限に引き出させる。その結果、前記便座シート５は、前記の引き出されるワイヤ６によって下方に押し出されて、前記案内部３ｃの湾曲面を滑らかに移動しながら、前記出入口３ａを通過し、前記便座２の上に移動する（図２Ｂ、図４Ｂに示す状態）。このとき、前記ワイヤ６は、図２Ｂに示すように、その図示下端部が前記空洞部３ｂ内の前記出入口３ａの近傍の位置まで下降している。
【００３７】
次に、ユーザーが前記便器１及び便座２の使用を終了してトイレから出たときは、前記人感センサがそのことを検知し、その検知信号を前記制御部１２に送信する。制御部１２は、この検知信号を受けて、前記ワイヤ巻取り部７を制御して、前記ワイヤ６を巻き取らせる。すると、前記便座シート５は、前記の巻き取られるワイヤ６により図２Ｂの図示斜め右上方向に引っ張られて、前記便座２上の前記位置（図２Ｂ及び図４Ｂに示す状態）から、前記出入口３ａを通過し、前記案内部（湾曲面）３ｃの上を自らが湾曲しながらスムーズに移動し、前記空洞部３ｂ内へ移動する。その結果、前記便座シート５は、図２Ａに示すような前記空洞部３ｂ内の収容位置で収容される（図２Ａ及び図４Ａに示す状態）。
【００３８】
なお、図２Ｃ及び図２Ｄは、前記便座２上の便座シート５が前記空洞部３ｂ内に移動するときの前記殺菌・消毒ローラ２０ａ，２０ｂの動作を説明するための図である。前述のように、通常は、前記殺菌・消毒ローラ２０ａ，２０ｂは、図２Ａ，図２Ｂに示すように、互いに離れた位置（その間を前記便座シート５が前記殺菌・消毒ローラ２０ａ，２０ｂと接触しないで通過できるような距離をお互いが保った位置）に配置されている。これに対して、前記便座シート５が前記便座２上から前記空洞部３ｂ内に移動されるときは、前記殺菌・消毒ローラ２０ａ，２０ｂは、前記制御部１２からの制御により、図示しない駆動部によりその位置が移動されて互いに近づけられる（図２Ｃの矢印ａ，ｂ参照）。その結果、前記便座２上から前記空洞部３ｂ内に移動する便座シート５は、前記殺菌・消毒ローラ２０ａ，２０ｂの間に挟まれながら、且つそれらによって表面が擦られながら、移動させられる。これにより、前記便座シート５の表面は、前記殺菌・消毒ローラ２０ａ，２０ｂ（その外周面には前述のように消毒用アルコールなどが染み込まされている）により、消毒・殺菌される。
【００３９】
なお、本実施例１においては、前述のように、前記便座シート５が前記便座２上から前記空洞部３ｂ内に移動する場合だけ、前記殺菌・消毒ローラ２０ａ，２０ｂを、図示しない駆動部（モーターなど）により、互いに近づく方向に移動させる（図２Ｃの矢印ａ，ｂ参照）ようにし、それ以外の場合は前記殺菌・消毒ローラ２０ａ，２０ｂを互いに離れた位置に配置するようにしている。しかし、これは、前記便座シート５が前記空洞部３ｂ内から前記便座２上に移動するとき、前記便座シート５の表面及び裏面に前記殺菌・消毒ローラ２０ａ，２０ｂの消毒用アルコールが付着した状態のまま前記便座２上に移動してユーザーの肌やズボンを消毒用アルコールで濡らしてしまうことを防止するためである。しかし、前記消毒用アルコールを速乾性のものにするときは、前記便座シート５が前記空洞部３ｂ内から前記便座２上に移動するときに、前記便座シート５の表面及び裏面が前記殺菌・消毒ローラ２０ａ，２０ｂの消毒用アルコールが付着している状態のまま前記便座２上に移動させるようにしても、前記消毒用アルコールは直ちに乾燥するので、ユーザーの肌やズボンが消毒用アルコールで濡れてしまうことは無い。よって、このように速乾性の消毒用アルコールを使用すれば、前記殺菌・消毒ローラ２０ａ，２０ｂの位置を移動させるための駆動部は備えないようにしてもよい。
【００４０】
また、本実施例１では、図２Ａに示すように、前記便座シート５が前記空洞部３ｂ内に収容されているとき、前記制御部１２は、所定のタイミングで前記紫外線ランプ８を所定時間だけ点灯させ、前記空洞部３ｂ内に収容されている前記便座シート５の表面（前記便座２の上に配置されたときに上側となる面）を殺菌・消毒する。よって、本実施例１では、ユーザーが前記便座２の使用を開始するときは、前記便座シート５が、常に、前記紫外線ランプ８（及び前記殺菌・消毒ローラ２０ａ，２０ｂ）により殺菌・消毒された衛生的な状態で、前記空洞部３ｂ内から前記便座２の上に供給される。
【００４１】
また、本実施例１では、図２Ａに示すように、前記便座シート５が前記空洞部３ｂ内に収容されているとき、前記制御部１２は、特に冬季において、所定のタイミングで前記面状ヒーター９を所定時間だけ通電させ、前記空洞部３ｂ内の前記便座シート５を所定の温度（例えば人の体温に近い温度である３７〜４０℃）まで加温させる。よって、本実施例１では、ユーザーが前記便座２の使用を開始するときは、前記便座シート５が、常に、前記面状ヒーター９により加温された状態で、前記空洞部３ｂ内から前記便座２の上に供給される。
【実施例２】
【００４２】
次に、本発明の実施例２による便蓋を利用した便座シート供給装置を説明する。本実施例２の構成及び動作は前記実施例１と基本的に同一であるので、以下では異なる部分のみを説明する。本実施例２では、前記の実施例１と比較して、前記制御部１２の構成及び動作が異なっている。すなわち、前記の実施例１においては、前記制御部１２は、前記人感センサ１０又はリモコン１１からの信号に基づいてユーザーによる前記便座２の使用が終了したと判断したときは、それまで前記便座２上に配置されていた便座シート５を前記便座２上から前記空洞部３ｂ内に移動させると共に、前記人感センサ１０又はリモコン１１からの信号に基づいてユーザーによる前記便座２の使用が開始されると判断したときは、それまで前記空洞部３ｂ内に収容されて前記殺菌・消毒ローラ２０ａ，２０ｂや前記紫外線ランプ８などで殺菌・消毒され（さらに冬季は前記ヒーター９により加温され）た便座シート５を、前記空洞部３ｂ内から前記便座２上に移動させるように、前記ワイヤ巻取り部７（便座シート往復移動部）を制御するようにプログラムされている。
【００４３】
これに対して、本実施例２では、前記制御部１２は、次の（１）〜（３）のようにプログラムされている。すなわち、（１）まず、前記人感センサ１０又はリモコン１１からの信号に基づいてユーザーによる前記便座２の使用が終了したと判断したときは、それまで前記便座２上に配置されていた便座シート５を前記便座２上から前記空洞部３ｂ内に移動させる。（２）その後、この前記空洞部３ｂ内に移動される便座シート５を前記殺菌・消毒ローラ２０ａ，２０ｂや前記紫外線ランプ８などで殺菌・消毒する。（３）そして、前記便座シート５がこのように殺菌・消毒されたとき、この殺菌・消毒された便座シート５を、（ユーザーによる前記便座２の使用の開始を待つことなく）前記空洞部３ｂ内から前記便座２の上に移動させる。
【００４４】
以上のように、本実施例２においては、ユーザーにより使用された後の前記便座シート５をいったん前記空洞部３ｂ内に移動させて殺菌・消毒した後は、この殺菌・消毒された便座シート５を、ユーザーによる前記便座２の使用の開始を待つことなく、前記便座２上に移動させるようにしている。よって、本実施例２では、前記便座２上にはほとんど常に衛生的で清潔な便座シート５が存在していることになるので、ユーザーが緊急に便座を使用したい場合でもユーザーに便座シート５の移動時間だけ使用の開始を待たせることが無くなる（前記の実施例１では、ユーザーによる便座の使用の開始を判断してから便座シートを前記空洞部３ｂ内から前記便座２上に移動させていたので、前記便座シート５の移動時間だけユーザーは使用の開始を待たねばならないが、本実施例２ではそのようなことは無くなる）。
【実施例３】
【００４５】
次に、本発明の実施例３による便蓋を利用した便座シート供給装置を説明する。本実施例３は、前記の実施例１の構成と基本的に同一であるので、以下では、前記の実施例１と異なる部分だけを説明する。本実施例３が前記実施例１と異なっている点は、前記空洞部３ｂ内に２枚の便座シート５を収容可能としていること、前記２つの便座シート５を前記空洞部３ｂ内と前記便座２上とのいずれかに交互に配置するようにしていること、及び、前記制御部１２の後述するような構成・動作、などである。以下では、本実施例３の制御部１２の構成・動作を中心に説明する。
【００４６】
前記の実施例１においては、前記制御部１２は、前記人感センサ１０又はリモコン１１からの信号に基づいてユーザーによる前記便座２の使用が終了したと判断したときは、それまで前記便座２上に配置されていた便座シート５を前記便座２上から前記空洞部３ｂ内に移動させると共に、前記人感センサ１０又はリモコン１１からの信号に基づいてユーザーによる前記便座２の使用が開始されると判断したときは、それまで前記空洞部３ｂ内に収容されて前記殺菌・消毒ローラ２０ａ，２０ｂや前記紫外線ランプ８などで殺菌・消毒され（さらに冬季は前記ヒーター９により加温され）た便座シート５を、前記空洞部３ｂ内から前記便座２上に移動させるように、前記ワイヤ巻取り部７（便座シート往復移動部）を制御するようにプログラムされている。
【００４７】
これに対して、本実施例３では、前記制御部１２は、次の（１）〜（３）のようにプログラムされている。すなわち、（１）まず、前記人感センサ１０又はリモコン１１からの信号に基づいて、ユーザーによる前記便座２の使用が終了したと判断したときは、それまで前記便座２上に配置されていた便座シート５を前記便座２上から前記空洞部３ｂ内に移動させる。（２）また、これと同時に又はこれの直後に、前記空洞部３ｂ内で予め殺菌・消毒されていた他の便座シート５を、（ユーザーによる前記便座２の使用の開始を待つことなく）前記空洞部３ｂ内から前記便座２の上に移動させる。（３）その後、前記（１）で前記空洞部３ｂ内に移動させた前記便座シート５を、前記殺菌・消毒ローラ２０ａ，２０ｂや前記紫外線ランプ８などで殺菌・消毒する。
【００４８】
すなわち、本実施例３では、ユーザーの便座２の使用が終了したときは、それまで便座２の上に配置されていた便座シート５を前記空洞部３ｂ内に移動させると共に（略同時に）、それまで前記空洞部３ｂ内に収容され殺菌・消毒されていた便座シート５を前記便座２上に移動させるようにしている。よって、本実施例３では、殺菌・消毒され衛生的で清潔な便座シート５を、常に前記便座２上に配置しておけるようになる。よって、本実施例３では、前記便座２上には常に衛生的で清潔な便座シートが存在していることになるので、ユーザーが緊急に便座を使用したい場合でもユーザーに便座シート５の移動時間だけ使用の開始を待たせることが無くなる（前記の実施例１では、ユーザーによる便座の使用の開始を判断してから便座シートを前記空洞部３ｂ内から前記便座２上に移動させていたので、前記便座シート５の移動時間だけユーザーは使用の開始を待たねばならないが、本実施例３ではそのようなことは無くなる）。
【実施例４】
【００４９】
次に、本発明の実施例４による便蓋を利用した便座シート供給装置を説明する。本実施例４の構成及び動作は前記実施例１と基本的に同一であるので、以下では異なる部分のみを説明する。本実施例４では、図５Ａ，図５Ｂに示すように、前記便蓋３の空洞部３ｂ内の前記出入口３ａの近傍に（図２Ａ−図２Ｄに示す殺菌・消毒ローラ２０ａ，２０ｂと共に又はこれらに代えて）、図示上下方向に一対の清掃ローラ１５ａ，１５ｂが配置されている。前記清掃ローラ１５ａ，１５ｂは、回転ローラ部分の外周面に清掃用のブラシが植設されている。よって、本実施例４では、前記便座シート５が前記空洞部３ｂ内と前記便座２上との間を移動するとき、前記便座シート５は前記清掃ローラ１５ａと前記清掃ローラ１５ｂとの間の隙間を通過することになるが、そのとき、前記便座シート５の表面は前記清掃ローラ１５ａ，１５ｂの外周面のブラシで擦られ、前記便座シート５の表面の異物が除去されて清掃される。よって、本実施例４では、ユーザーが前記便座２の使用を開始するときは、前記便座シート５が、常に、前記清掃ローラ１５ａ，１５ｂにより清掃された清潔な状態で、前記空洞部３ｂ内から前記便座２の上に移動される。
【実施例５】
【００５０】
次に、本発明の実施例５による便蓋を利用した便座シート供給装置を図６の概略ブロック図を参照して説明する。本実施例５は、前記の実施例１の構成と基本的に同一であるので、以下では、前記の実施例１と異なる部分だけを説明する。
【００５１】
本実施例５は、図６に示すように、前記空洞部３ｂに内蔵され前記複数の便座シート５を殺菌・消毒及び／又は消臭するための殺菌・消毒消臭部７、前記空洞部３ｂに内蔵され冬季に（ユーザーの操作により）前記複数の便座シートを例えば３５−３８℃程度に加温するためのヒーター９、などを含む。また、本実施例５は、便座シート往復移動部２３、殺菌・消毒消臭部７、及びヒーター９を制御するためのマイクロコンピュータなどで構成された制御部１２、前記制御部１２にユーザーからの操作情報を入力するためのリモートコントローラ（操作部）１１、トイレのドアの外側の面などに設置され、トイレを使用しようとする各ユーザーを識別するための識別情報を取得して前記制御部１２に送信するためのユーザー情報取得部２１、などを含む。また、本実施例５は、複数の便座シート５を収容しておくための空洞部３ｂ、前記空洞部３ｂ内の複数の便座シート５のいずれか一つを選択的に取り出して空洞部３ｂの外に排出して前記便座２上に移動させるための便座シート往復移動部２３（例えば図２Ａのワイヤ６とワイヤ巻取り部７などで構成される）、とを含む。なお、前記便座シート往復移動部２３は、モーター（図示せず）とこのモーターからの動力を前記複数の便座シートの中のどれを移動するために使用するかを選択するためのスイッチ（図示せず）などにより構成するようにしてもよい。
【００５２】
また、本実施例５では、前記便蓋３の内部に形成された空洞部３ｂには、少なくとも前記便蓋３から前記便座２に向かう方向又は前記便座２から前記便蓋３に向かう方向に沿って折り曲げ可能に形成されている複数の便座シート５が互いに対向する状態で収容されている。便座シート往復移動部２３は、前記複数の便座シート５の中のいずれか一つを選択的に、前記便座上の位置と前記空洞部内の位置との間で往復移動させる（図２Ａのワイヤ６及びワイヤ巻取り部７参照）。前記制御部１２は、ユーザーによる便座の使用が開始されるときは前記複数の便座シート５の中のいずれか一つを選択的に前記空洞部３ｂ内の位置から前記便座２上の位置に移動させると共に、ユーザーによる便座の使用が終了したときは前記便座シート５を前記便座２上の位置から前記空洞部３ｂ内の位置へ移動させるように、前記便座シート往復移動部２３を制御する。
【００５３】
このように、本実施例５では、前記複数の便座シート５は、それぞれ、複数のユーザーのそれぞれが選択的に使用するように構成されている。すなわち、前記制御部１２が内蔵する記録装置（メモリ）２２には、前記便蓋３内の空洞部３ｂ内における前記各便座シート５の収容位置を前記各ユーザーの識別情報とそれぞれ対応させて記録しておく。前記ユーザー情報取得部２１は、前記各ユーザーを識別するための情報を取得する。前記制御部１２は、前記ユーザー情報取得部２１からのユーザー識別情報と前記記録装置（メモリ）２２からの各ユーザーに対応する各便座シート５の前記空洞部３ｂ内における各収容位置の情報とに基づいて、前記便座シート往復移動部２３を制御する。前記便座シート往復移動部２３は、前記制御部１２からの情報に基づいて、前記便蓋３内の空洞部３ｂ内の複数の便座シート５の中からいずれか一つの便座シートを選択的に取り出して前記便座２上へ移動させる。
【００５４】
なお、ここで、前記ユーザー情報取得部２１について説明する。ユーザー情報取得部２１は、例えば、トイレのドアの外側に配置されている。このユーザー情報取得部２１は、例えば、５人家族の場合には、計５個の便座シート５にそれぞれ対応する各メンバー（ユーザー）が自分を特定できるボタンを備えた入力装置により構成される。例えば、各ユーザーが、トイレのドアを開ける前に、前記入力装置の自分を特定するボタンを押すと、この入力装置からの信号が前記制御部１２に無線で送信される。これを受信した前記制御部１２は、該当ユーザーに対応する便座シートを便座２の方向に押し出すように、前記便座シート往復移動部２３を制御する。よって、この場合は、ユーザーがドアの外で前記の自分に対応するボタンを押すだけで、自動的に前記便座シート往復移動部２３が作動するので、ユーザーがトイレの中に入ったときは既に便座２の上に自分専用の便座シートが配置された状態となる。なお、本実施例５において、前記ユーザー情報取得部２１は、前述のようなボタン式のものに限らず、様々な方式のものを採用できる。例えば、予めユーザーの顔画像、指紋情報、声紋情報などの様々な生体情報を記録した記憶装置とＣＣＤカメラやマイクを備えておき、ユーザーがトイレのドアの前に立つときユーザーの顔画像、指紋情報、声紋情報などの様々な生体情報を認識してそれを記録装置に登録した生体情報と照合してユーザーを特定し、これにより特定したユーザーの識別情報を前記制御部１２に無線で送信するようにしてもよい。また、本実施例５おいて、前記の各ユーザーが押すボタンは、ドアの外側ではなく、ドアの内側、便器や便座の近傍などに配置されていてもよい。
【００５５】
また、前述のように、前記制御部１２は、記録装置（メモリ）２２を内蔵しており、この記録装置には、前記空洞部３ｂに収容されている各便座シート（例えば計５個）をそれぞれ各ユーザー（例えば５人）の識別情報、及び各便座シートの前記空洞部３ｂ内での収容位置情報と対応させて記録しておくようにしている。また、前記便座シート往復移動部２３は、前記空洞部３ｂ内の複数の便座シートの中からいずれか一つの便座シートを選択的に移動できるように構成されている。例えば、前記便座シート往復移動部２３は、各便座シートの前記空洞部３ｂ内の収容位置を記憶しておき、前記制御部１２の信号（各便座シートの収容位置の情報を含む）に基づいて、いずれか一つの便座シートを選択的に取り出して便座２の上に移動できるように構成されている。以上より、前記制御部１２は、前記ユーザー情報入力部からのユーザー識別情報を受信すると、内蔵する記録装置（メモリ）２２からその識別情報に対応するユーザーに対応する一つの便座シートの収容位置の情報を取得して、「この収容位置にある便座シートを取り出して便座の上に移動せよ」との制御信号を、前記便座シート往復移動部２３に送信する。前記便座シート往復移動部２３はこの制御信号に基づいて、前記のユーザーに対応する特定の一枚の便座シートを取り出して、それを便座２の上に移動させる。
【００５６】
以上、本発明の各実施例について説明したが、本発明及び本発明を構成する各構成要件は、それぞれ、前記の実施例及び前記の実施例を構成する各要素として述べたものに限定されるものではなく、様々な修正及び変更が可能である。例えば、前記の各実施例では、前記便座シート５を前記便蓋３内の空洞部３ｂと前記便座２上との間で移動させるための構成として、前記ワイヤ６及びワイヤ巻取り部７を例示した（図２Ａ，図２Ｂなど参照）が、本発明ではこれに限られるものではなく、前記便座シート５を前記空洞部３ｂと前記便座２上との間で移動させるための構成として、例えばリニアモーターなどを使用するようにしてもよい。
【００５７】
また、前記の各実施例においては、前記便座シート５を前記空洞部３ｂ内で殺菌・消毒するための構成として、紫外線ランプ８を例示したが、本発明ではこれに限られるものではなく、前記便座シート５を殺菌・消毒するための構成として、例えば消毒用の液体又は粉末を前記便座シート５に対してスプレー・散布する機器を使用するようにしてもよい。
【００５８】
また、前記の各実施例においては、前記便座シート５を清掃するための構成として、一対の清掃ローラ１５ａ，１５ｂを例示したが、本発明ではこれに限られるものではなく、前記便座シート５を清掃するための構成として、例えば清掃用の液体又は粉末を前記便座シート５に対してスプレー・散布した上で表面を擦ってから乾燥させる機器を使用するようにしてもよい。
【００５９】
また、本発明においては、前記便座シート５を、例えば「プラスチック製やシリコンゴム製で形成された便座シートの外表面にタオル地などの布を巻いたもの」により構成するようにしてもよい。
【図面の簡単な説明】
【００６０】
【図１】本発明の実施例１による便蓋を利用した便座シート供給装置を含む便器装置の全体の外観を示す斜視図。
【図２Ａ】本実施例１の構成及び動作を説明するための図。
【図２Ｂ】本実施例１の構成及び動作を説明するための図。
【図２Ｃ】本実施例１の構成及び動作を説明するための図。
【図２Ｄ】本実施例１の構成及び動作を説明するための図。
【図３Ａ】本実施例１に使用される便座シートの一例の構成及び動作を説明するための図。
【図３Ｂ】本実施例１に使用される便座シートの他の例の構成及び動作を説明するための図。
【図４Ａ】本実施例１の構成及び動作を説明するための図。
【図４Ｂ】本実施例１の構成及び動作を説明するための図。
【図５Ａ】本発明の実施例４による便蓋を利用した便座シート供給装置の構成及び動作を説明するための図。
【図５Ｂ】本発明の実施例４による便蓋を利用した便座シート供給装置の構成及び動作を説明するための図。
【図６】本発明の実施例５による便蓋を利用した便座シート供給装置の構成を概念的に示す概略ブロック図。
【図７】従来の便蓋を利用した便座シート供給装置の一例を示す斜視図。
【符号の説明】
【００６１】
１     便器
１ａ   上方開口部
２     便座
３     便蓋
３ａ   出入口
３ｂ   空洞部
３ｃ   案内部
５     便座シート
５ｃ   案内部
６     ワイヤ
７     ワイヤ巻取り部
８     紫外線ランプ
９     面状ヒーター
１０   人感センサ
１１   リモコン
１２   制御部
１５ａ，１５ｂ         清掃ローラ
２０ａ，２０ｂ         殺菌・消毒ローラ
２１   ユーザー情報取得部
２３   便座シート往復移動部
【図２Ａ】
2008036177.tif 000003
【図２Ｂ】
2008036177.tif 000004
【図２Ｃ】
2008036177.tif 000005
【図２Ｄ】
2008036177.tif 000006
【図３Ａ】
2008036177.tif 000007
【図３Ｂ】
2008036177.tif 000008
【図４Ａ】
2008036177.tif 000009
【図４Ｂ】
2008036177.tif 000010
【図５Ａ】
2008036177.tif 000011
【図５Ｂ】
2008036177.tif 000012
【図６】
2008036177.tif 000013
【図７】
2008036177.tif 000014
【図１】
2008036177.tif 000015
【手続補正書】
【提出日】平成18年8月9日(2006.8.9)
【手続補正１】
【補正対象書類名】図面
【補正対象項目名】全図
【補正方法】変更
【補正の内容】
【図１】
2008036177.tif 000016
【図２Ａ】
2008036177.tif 000017
【図２Ｂ】
2008036177.tif 000018
【図２Ｃ】
2008036177.tif 000019
【図２Ｄ】
2008036177.tif 000020
【図３Ａ】
2008036177.tif 000021
【図３Ｂ】
2008036177.tif 000022
【図４Ａ】
2008036177.tif 000023
【図４Ｂ】
2008036177.tif 000024
【図５Ａ】
2008036177.tif 000025
【図５Ｂ】
2008036177.tif 000026
【図６】
2008036177.tif 000027
【図７】
2008036177.tif 000028
【手続補正書】
【提出日】平成18年8月9日(2006.8.9)
【手続補正１】
【補正対象書類名】特許請求の範囲
【補正対象項目名】請求項２
【補正方法】変更
【補正の内容】
【請求項２】
便器の上方開口部及び便座の主要部を覆うための便蓋であって、前記便座の後方の位置に前記便座に対して回動可能に接続されている便蓋と、
少なくとも前記便蓋から前記便座に向かう方向又は前記便座から前記便蓋に向かう方向に沿って湾曲可能に形成されている、一枚又は複数枚の便座シートと、
前記便蓋の内部に形成され、前記一枚又は複数枚の便座シートをその内部に収容可能な空洞部と、
前記便蓋の前記便座と対向する面にユーザーから見て略水平方向に形成され、少なくとも一枚の便座シートが通過可能に形成されたスリット状の出入口と、
前記便蓋に備えられ、前記便座シートの少なくとも一枚を、前記出入口を介して前記空洞部内と前記便座上との間で往復移動させるための便座シート往復移動手段と、
前記空洞部内に存在する便座シートを殺菌・消毒するための便座シート殺菌・消毒手段と、
ユーザーによる前記便座の使用が終了したときは、それまで前記便座上に配置されていた便座シートを前記便座上から前記空洞部内に移動させ、前記便座上に便座シートが配置されていないときは、前記空洞部内で前記便座シート殺菌・消毒手段による殺菌・消毒が行われた前記便座シートを前記空洞部内から前記便座上に移動させるように、前記便座シート往復移動手段を制御するための制御手段と、
を備えたことを特徴とする、便蓋を利用した便座シート供給装置。
【手続補正２】
【補正対象書類名】明細書
【補正対象項目名】０００８
【補正方法】変更
【補正の内容】
【０００８】
また、本発明による便蓋を利用した便座シート供給装置は、便器の上方開口部及び便座の主要部を覆うための便蓋であって、前記便座の後方の位置に前記便座に対して回動可能に接続されている便蓋と、少なくとも前記便蓋から前記便座に向かう方向又は前記便座から前記便蓋に向かう方向に沿って湾曲可能に形成されている、一枚又は複数枚の便座シートと、前記便蓋の内部に形成され、前記一枚又は複数枚の便座シートをその内部に収容可能な空洞部と、前記便蓋の前記便座と対向する面にユーザーから見て略水平方向に形成され、少なくとも一枚の便座シートが通過可能に形成されたスリット状の出入口と、前記便蓋に備えられ、前記便座シートの少なくとも一枚を、前記出入口を介して前記空洞部内と前記便座上との間で往復移動させるための便座シート往復移動手段と、前記空洞部内に存在する便座シートを殺菌・消毒するための便座シート殺菌・消毒手段と、ユーザーによる前記便座の使用が終了したときは、それまで前記便座上に配置されていた便座シートを前記便座上から前記空洞部内に移動させると共に、前記便座上に便座シートが配置されていないときは、前記空洞部内で前記便座シート殺菌・消毒手段による殺菌・消毒が行われた前記便座シートを前記空洞部内から前記便座上に移動させるように、前記便座シート往復移動手段を制御するための制御手段と、を備えたことを特徴とするものである。